(57)【要約】【課題】フィラメントを適切に予熱できる放電灯点灯装置を提供する。【解決手段】電界効果トランジスタＱ１，Ｑ２を交互にオン、オフさせて高周波を発生させる。共振インダクタＬ３および共振コンデンサＣ４などにより共振電圧を発生させる。始動時には、正温度特性抵抗素子ＰＴＣ１は温度が低いため抵抗値が低く、共振合成成分の関係で共振コンデンサＣ４に流れる電流は少ない。この間に、共振電流の一部が蛍光ランプＦＬの電極フィラメントコイルＦＬａ，ＦＬｂに予熱電流として流れ、電極フィラメントコイルＦＬａ，ＦＬｂを適切に予熱できる。その後、正温度特性抵抗素子ＰＴＣ１の抵抗値が増加し、共振合成成分が変化することにより、共振電圧が上昇し、蛍光ランプＦＬは放電を開始し、始動、点灯する。【選択図】        図１
2004362782.tif 000002
【特許請求の範囲】
【請求項１】
交流電源に接続された共振インダクタおよび共振コンデンサの直列回路と；
共振コンデンサの両端間に始動時の共振電流の一部が直接または間接的にフィラメントに流れるように対をなすフィラメントのそれぞれが接続された放電ランプと；
共振コンデンサに対して並列的に接続された正温度特性抵抗素子と；
を具備したことを特徴とする放電灯点灯装置。
【請求項２】
共振コンデンサの一部が放電ランプの少なくともいずれか一方のフィラメントを介して共振インダクタに接続されている
ことを特徴とする請求項１記載の放電灯点灯装置。
【請求項３】
放電ランプの少なくともいずれか一方のフィラメントには共振インダクタに磁気的に接続された予熱巻線が接続されている
ことを特徴とする請求項１記載の放電灯点灯装置。
【請求項４】
放電ランプの少なくともいずれか一方のフィラメントに並列に接続される負温度特性抵抗素子を
具備したことを特徴とする請求項１ないし３いずれか一記載の放電灯点灯装置。
【請求項５】
正温度特性抵抗素子は、放電ランプのフィラメントを介して共振コンデンサに接続されている
ことを特徴とする請求項１ないし４いずれか一記載の放電灯点灯装置。
【請求項６】
請求項１ないし５いずれか一記載の放電灯点灯装置と；
この放電灯点灯装置により点灯される蛍光ランプと；
蛍光ランプを支持するとともに、点灯回路を収納したカバーと；
カバーに取り付けられた口金と；
を具備したことを特徴とする電球形蛍光ランプ。
【発明の詳細な説明】
【０００１】
【発明の属する技術分野】
本発明は、フィラメントを適切に予熱できる放電灯点灯装置および電球形蛍光ランプに関する。
【０００２】
【従来の技術】
従来、この種の放電灯点灯装置は、インバータ回路に、共振インダクタおよび正温度特性抵抗素子の直列回路が接続され、この正温度特性抵抗素子に対して並列に蛍光ランプのそれぞれのフィラメントの一端を接続し、それぞれのフィラメントの他端間に共振用コンデンサを接続している。
【０００３】
そして、インバータ回路の始動後は、正温度特性抵抗素子の温度が低いため正温度特性抵抗素子の抵抗値が低い状態であり、共振合成成分の関係から共振コンデンサの両端電圧は低いが、その後ジュール熱による正温度特性抵抗素子の温度の上昇に伴ない正温度特性抵抗素子の抵抗値が高くなることによって共振合成成分が変化し、共振インダクタと共振コンデンサの共振電圧が高くなり、フィラメント間に印加される電圧が高くなって蛍光ランプは放電を開始する。
【０００４】
このように、正温度特性抵抗素子の抵抗値の上昇により始動時に共振コンデンサの両端電圧を低い状態から高い状態に変化させて、蛍光ランプを始動することにより、フィラメントを十分に予熱してから蛍光ランプが点灯することになり、蛍光ランプの点滅に伴うストレスを小さくしている（たとえば特許文献１参照）。
【０００５】
また、他の放電灯点灯装置は、インバータ回路に、共振インダクタを介して蛍光ランプのそれぞれのフィラメントの一端が接続され、それぞれのフィラメントの他端間に共振コンデンサおよび正温度特性抵抗素子の並列回路が接続され、さらに、それぞれのフィラメントに対して並列に負温度特性抵抗素子が接続されている。
【０００６】
そして、インバータ回路の始動後は、正温度特性抵抗素子の温度が低いため正温度特性抵抗素子の抵抗値が低い状態であり、共振合成成分の関係から共振コンデンサの両端電圧は低くなり、その後ジュール熱による正温度特性抵抗素子の温度の上昇に伴ない正温度特性抵抗素子の抵抗値が高くなることによって、共振合成成分が変化し、共振インダクタと共振コンデンサの共振電圧が高くなり、蛍光ランプは放電を開始する。また、負温度特性抵抗素子は始動後は温度が低いため抵抗値が高く電流が小さくなりフィラメントに流れる電流が多くなって、フィラメントを加熱し、負温度特性抵抗素子の温度が上昇するに伴ない抵抗値が低く短絡された状態になって、蛍光ランプの点灯後にフィラメントに流れる必要がないフィラメント電流を実質無くし、損失を小さくしている。
【０００７】
このように、正温度特性抵抗素子の抵抗値の上昇により始動時に共振コンデンサの両端電圧を低い状態から高い状態に変化させて蛍光ランプを始動するとともに、負温度特性抵抗素子の抵抗値の変化により蛍光ランプの点灯後にフィラメントに流れる電流を削減することにより、蛍光ランプの点滅に伴うストレスを小さくしつつ、フィラメント電流の損失も抑制している（たとえば特許文献２参照）。
【０００８】
【特許文献１】
特開昭６３−２４５８９６号公報（第３−４頁、第１図）
【０００９】
【特許文献２】
特開２００１−３５７９８９号公報（第４−５頁、図２）
【００１０】
【発明が解決しようとする課題】
ところが、特許文献１および特許文献２のように蛍光ランプのフィラメントを介して共振コンデンサを接続すると、共振コンデンサに流れる全ての共振電流がフィラメントに流れることになるため、予熱電流を制御しにくいという問題を有している。
【００１１】
本発明は、上記問題点に鑑みなされたもので、フィラメントを適切に予熱できる放電灯点灯装置および電球形蛍光ランプを提供することを目的とする。
【００１２】
【課題を解決するための手段】
請求項１記載の放電灯点灯装置は、交流電源に接続された共振インダクタおよび共振コンデンサの直列回路と；共振コンデンサの両端間に始動時の共振電流の一部が直接または間接的にフィラメントに流れるように対をなすフィラメントのそれぞれが接続された放電ランプと；共振コンデンサに対して並列的に接続された正温度特性抵抗素子とを具備したもので、始動時には正温度特性抵抗素子の温度が低いため正温度特性抵抗素子の抵抗値は低く、共振合成成分の関係で共振インダクタおよび共振コンデンサによる共振電流は小さい。この間に、共振電流の一部が直接または間接的に放電ランプのフィラメントに予熱電流として流れてフィラメントを適切に加熱する。その後、ジュール熱により正温度特性抵抗素子の温度が上昇することにより正温度特性抵抗素子の抵抗値が高くなり、共振合成成分が変化することによって、共振インダクタおよび共振コンデンサによる共振電圧は上昇して、共振コンデンサおよび正温度特性抵抗素子の電圧が上昇し、放電ランプは放電を開始して始動し点灯する。
【００１３】
請求項２記載の放電灯点灯装置は、請求項１記載の放電灯点灯装置において、共振コンデンサの一部が放電ランプの少なくともいずれか一方のフィラメントを介して共振インダクタに接続されているもので、一部の共振コンデンサに流れる共振電流の一部がフィラメントに直接流れるので、フィラメントを適切に予熱できる。
【００１４】
請求項３記載の放電灯点灯装置は、請求項１記載の放電灯点灯装置において、放電ランプの少なくともいずれか一方のフィラメントには共振インダクタに磁気的に接続された予熱巻線が接続されているもので、共振インダクタの共振電流の増加に伴ない共振インダクタから取り出された共振電流の一部である予熱巻線の電流が増加し、フィラメントに間接的に流れるので、フィラメントを適切に予熱できる。
【００１５】
請求項４記載の放電灯点灯装置は、請求項１ないし３いずれか一記載の放電灯点灯装置において、放電ランプの少なくともいずれか一方のフィラメントに並列に接続される負温度特性抵抗素子を具備したもので、フィラメントの予熱によって温度上昇した負温度特性抵抗素子の抵抗値が低下し、フィラメントに流れていた電流がランプ点灯後は負温度特性抵抗素子に流れ、不要なフィラメント予熱電流を削減してフィラメント予熱電流による電力損失を抑制する。
【００１６】
請求項５記載の放電灯点灯装置は、請求項１ないし４いずれか一記載の放電灯点灯装置において、正温度特性抵抗素子は、放電ランプのフィラメントを介して共振コンデンサに接続されているもので、フィラメントを介して共振コンデンサに接続しても、同様の作用を奏する。
【００１７】
請求項６記載の電球形蛍光ランプは、請求項１ないし５いずれか一記載の放電灯点灯装置と；この放電灯点灯装置により点灯される蛍光ランプと；蛍光ランプを支持するとともに、点灯回路を収納したカバーと；カバーに取り付けられた口金とを具備したもので、それぞれの作用を奏する。
【００１８】
【発明の実施の形態】
以下、本発明の電球形蛍光ランプの一実施の形態を図面を参照して説明する。
【００１９】
図１は放電灯点灯装置を示す回路図、図２は電球形蛍光ランプのグローブを透過した状態の側面図である。
【００２０】
図１において、１は電球形蛍光ランプで、この電球形蛍光ランプ１は、カバー２、口金３およびグローブ４を有する外囲器５を有し、この外囲器５内には放電ランプとしての蛍光ランプＦＬの発光管６および蛍光ランプＦＬを点灯させる放電灯点灯装置７が収納されて電球形蛍光ランプ装置を構成している。そして、外囲器５は、白熱電球の規格寸法に近似する外形に形成されている。
【００２１】
また、放電灯点灯装置７は、図２に示すように、商用交流電源ｅにヒューズＦ１を介してフィルタを構成するコンデンサＣ１が接続され、このコンデンサＣ１にはフィルタを構成するインダクタＬ１を介して全波整流器１１の入力端子が接続されている。また、この全波整流器１１の出力端子には平滑用のコンデンサＣ２が接続されて入力電源回路Ｅを構成し、この入力電源回路ＥのコンデンサＣ２には高周波を発生する交流電源としてのハーフブリッジ形のインバータ回路１２のインバータ主回路１３が接続されている。
【００２２】
そして、このインバータ主回路１３は、コンデンサＣ２に対して並列に、スイッチング素子である互いに相補形となるＭＯＳ形のＮチャネルのトランジスタとしての電界効果トランジスタＱ１およびＭＯＳ形のＰチャネルのトランジスタとしての電界効果トランジスタＱ２が直列に接続されている。Ｎチャネルの電界効果トランジスタＱ１およびＰチャネルの電界効果トランジスタＱ２は互いのソースが接続されている。
【００２３】
電界効果トランジスタＱ２のドレイン、ソース間には、非飽和形電流トランスＣＴの一次巻線Ｌ２、直流カット用のコンデンサＣ３、共振インダクタとしてのバラストチョークＬ３および共振コンデンサＣ４の直列回路が接続され、この共振コンデンサＣ４には蛍光ランプＦＬの両端のフィラメントとしての電極フィラメントコイルＦＬａ，ＦＬｂの一端がそれぞれ接続され、一方の電極フィラメントコイルＦＬａの他端と他方の電極フィラメントコイルＦＬｂとの他端間には共振コンデンサＣ４とともに共振に寄与する始動用のコンデンサＣ５が接続されている。なお、電極フィラメントコイルＦＬａ，ＦＬｂにはエミッタが塗布されている。また、共振コンデンサＣ４に対して並列に正温度特性抵抗素子（Ｐｏｓｉｔｉｖｅ  Ｔｅｍｐｅｒａｔｕｒｅ  Ｃｏｅｆｆｉｃｉｅｎｔ）ＰＴＣ１が接続されている。
【００２４】
そして、コンデンサＣ２と電界効果トランジスタＱ１のゲートおよび電界効果トランジスタＱ２のゲートとの間には、起動回路１５を構成する起動用の抵抗Ｒ１が接続され、これら電界効果トランジスタＱ１のゲートおよび電界効果トランジスタＱ２のゲートと電界効果トランジスタＱ１および電界効果トランジスタＱ２のソースとの間に、コンデンサＣ６およびコンデンサＣ７の直列回路が接続され、これらコンデンサＣ６およびゲート制御手段としてのゲート制御回路１６のコンデンサＣ７の直列回路に対して並列に電界効果トランジスタＱ１および電界効果トランジスタＱ２のゲート保護のためのツェナダイオードＺＤ１およびツェナダイオードＺＤ２の直列回路が接続されている。また、トランスＣＴの一次巻線Ｌ２には、二次巻線Ｌ４が磁気的に結合して設けられ、この二次巻線Ｌ４はコンデンサＣ６およびコンデンサＣ７の接続点に接続されている。また、コンデンサＣ６は起動回路１５のトリガ素子を構成するものでもあり、このコンデンサＣ６に対して並列に、起動回路１５の放電用抵抗Ｒ２が接続されている。
【００２５】
また、電界効果トランジスタＱ２のドレイン、ソース間には、起動回路１５の抵抗Ｒ３およびスイッチング改善用のコンデンサＣ８の並列回路が接続されている。
【００２６】
次に、上記実施の形態の動作について説明する。
【００２７】
まず、電源が投入されると、商用交流電源ｅの電圧を全波整流器１１で全波整流し、コンデンサＣ２で平滑する。
【００２８】
そして、抵抗Ｒ１を介してＮチャンネルの電界効果トランジスタＱ１のゲートに電圧が印加され、電界効果トランジスタＱ１がオンする。電界効果トランジスタＱ１のオンにより、トランスＣＴの一次巻線Ｌ２、コンデンサＣ３、バラストチョークＬ３、共振コンデンサＣ４およびコンデンサＣ５の閉路に電圧が印加され、コンデンサＣ３、共振インダクタとしてのバラストチョークＬ３、共振コンデンサＣ４およびコンデンサＣ５は共振する。このとき、正温度特性抵抗素子ＰＴＣ１のインピーダンス成分も共振合成成分の一部に含まれている。また、トランスＣＴの一次巻線Ｌ２のインダクタンス成分は、共振合成成分としてはほとんど無視できる程度の大きさである。そして、トランスＣＴの二次巻線Ｌ４に電圧が誘起され、ゲート制御回路１６のコンデンサＣ７と二次巻線Ｌ４のインダクタンス成分とが固有共振して略一定の周波数で電界効果トランジスタＱ１をオンさせ、電界効果トランジスタＱ２をオフさせる電圧を発生する。
【００２９】
ついで、コンデンサＣ３、共振インダクタとしてのバラストチョークＬ３、共振コンデンサＣ４およびコンデンサＣ５の共振電圧が反転すると二次巻線Ｌ４には前回と逆の電圧が発生し、ゲート制御回路１６は電界効果トランジスタＱ１をオフさせ、電界効果トランジスタＱ２をオンさせる電圧を発生する。さらに、コンデンサＣ３、バラストチョークＬ３、共振コンデンサＣ４およびコンデンサＣ５の共振電圧が反転すると、電界効果トランジスタＱ１がオンするとともに、電界効果トランジスタＱ２がオフする。以後、同様に、電界効果トランジスタＱ１および電界効果トランジスタＱ２が交互にオン、オフして、共振電圧が発生し、共振電流が流れる。
【００３０】
この共振電流が流れ出した状態では、正温度特性抵抗素子ＰＴＣ１は温度が低いため抵抗値が、たとえば３ｋΩ〜５ｋΩ程度と低く正温度特性抵抗素子ＰＴＣ１に流れる電流が大きい。このときの共振コンデンサＣ４の両端間に発生する共振電圧は、図３の実線Ａに示す共振特性の点ａのように低くなる。
【００３１】
そして、正温度特性抵抗素子ＰＴＣ１に電流が流れることによりジュール熱が発生し、正温度特性抵抗素子ＰＴＣ１の抵抗値が上昇して正温度特性抵抗素子ＰＴＣ１に流れる電流が減少すると、共振合成成分が変化するので、共振コンデンサＣ４に流れる電流が増加するように共振動作も変化し、図３の実線Ｂに示す共振特性の点ａと同じ周波数（ｆ１）上にある点ｂになるまで共振電圧が徐々に高くなる。
【００３２】
なお、蛍光ランプＦＬの電極フィラメントコイルＦＬａ，ＦＬｂを介して、共振コンデンサの一部であるコンデンサＣ５にも共振電流の一部が流れるため、電極フィラメントコイルＦＬａ，ＦＬｂは共振電圧が図３の実線Ｂに示す点ｂに上昇するまで十分な時間をかけて直接予熱される。また、共振コンデンサＣ４とは別個に共振用のコンデンサＣ５を設けることにより、共振のための容量を分割することになり、コンデンサＣ５の容量を電極フィラメントコイルＦＬａ，ＦＬｂの予熱および蛍光ランプＦＬの点灯時に流れる電流を適切にした値にすることが可能となり、効率良く電極フィラメントコイルＦＬａ，ＦＬｂを予熱できるとともに、蛍光ランプＦＬの点灯後にコンデンサＣ５に流れる電流を小さくできるため、点灯後の効率の低下も防止できる。
【００３３】
さらに、正温度特性抵抗素子ＰＴＣ１の抵抗値が増加して共振成分の変化により共振電流が増加し、ランプ始動に必要な電圧ｂまで電圧が上昇すると、蛍光ランプＦＬは放電を開始し、始動、点灯する。
【００３４】
蛍光ランプＦＬが点灯した後は、正温度特性抵抗素子ＰＴＣ１の抵抗値が数１０ｋΩ程度に蛍光ランプＦＬの等価抵抗値が正温度特性抵抗素子ＰＴＣ１の抵抗値より十分に小さいため、図３の実線Ｃに示す共振特性の点ａ，ｂと同じ周波数（ｆ１）上にある点ｃのように共振電圧が低下して、蛍光ランプＦＬが点灯維持される。また、このように、正温度特性抵抗素子ＰＴＣ１をコンデンサＣ５ではなく、共振コンデンサＣ４に対して並列に接続することにより、電極フィラメントコイルＦＬａ，ＦＬｂに流れる電流を小さくできるため、その分電力損失を抑制できる。
【００３５】
このように、正温度特性抵抗素子ＰＴＣ１の抵抗値の変化により、蛍光ランプＦＬの電極フィラメントコイルＦＬａ，ＦＬｂの予熱を適性にできるため、エミッタが不所望に飛散（スパッタ）することを防止できるため、蛍光ランプＦＬの点滅寿命回数を向上できる。
【００３６】
次に、他の実施の形態の放電灯点灯装置を図４を参照して説明する。
【００３７】
図４は他の実施の形態の放電灯点灯装置を示す回路図で、図１に示す実施の形態の蛍光ランプＦＬの電極フィラメントコイルＦＬａ，ＦＬｂの一端および他端間に共振インダクタＬ３に磁気的に結合した予熱巻線Ｌ５，Ｌ６を接続したものである。
【００３８】
そして、基本的な動作は図１に示す放電灯点灯装置と同様であるが、蛍光ランプＦＬの電極フィラメントコイルＦＬａ，ＦＬｂが共振電流の一部により間接的に予熱される点で異なる。すなわち、正温度特性抵抗素子ＰＴＣ１の抵抗値が低下して共振電圧が図３に示す点ｂまで上昇するまでの間、共振インダクタＬ３に流れる共振電流から取り出された共振電流の一部により電極フィラメントコイルＦＬａ，ＦＬｂが予熱巻線Ｌ５，Ｌ６により間接的に予熱される。そして、正温度特性抵抗素子ＰＴＣ１の抵抗値が低下していくと、徐々に共振インダクタＬ３の電圧が上昇し、予熱巻線Ｌ５，Ｌ６に発生する電圧も上昇していくので、蛍光ランプＦＬの電極フィラメントコイルＦＬａ，ＦＬｂに予熱電流を供給でき、電極フィラメントコイルＦＬａ，ＦＬｂの予熱を適切にできる。そして、ランプ点灯後は、共振インダクタＬ３に流れる共振電流も低下するので、電極フィラメントコイルＦＬａ，ＦＬｂに流れる共振電流の一部も低下し、過剰に電極フィラメントコイルＦＬａ，ＦＬｂを予熱することはない。
【００３９】
なお、図４に示す実施の形態は、予熱巻線Ｌ６を取り除き、蛍光ランプＦＬの電極フィラメントコイルＦＬａのみに予熱巻線Ｌ５を接続したものであっても良い。
【００４０】
また、他の実施の形態の放電灯点灯装置を図５を参照して説明する。
【００４１】
図５はまた他の実施の形態の放電灯点灯装置を示す回路図である。
【００４２】
基本的な動作は図４に示す放電灯点灯装置と同様であるが、本実施の形態は、トランスＣＴの一次巻線Ｌ２が共振インダクタ（チョークコイル）を兼用したものである。本実施の形態の場合には、予熱巻線Ｌ５，Ｌ６が一次巻線Ｌ２に磁気的に結合されており、電極フィラメントコイルＦＬａ，ＦＬｂの予熱を適切に行うことができる。
【００４３】
さらに、他の実施の形態の放電灯点灯装置を図６を参照して説明する。
【００４４】
図６はさらに他の実施の形態の放電灯点灯装置を示す回路図で、図４に示す実施の形態の正温度特性抵抗素子ＰＴＣ１を蛍光ランプＦＬの電極フィラメントコイルＦＬａ、ＦＬｂの他端間に接続したものである。
【００４５】
そして、基本的な動作は図５に示す放電灯点灯装置と同様である。
【００４６】
次に、またさらに他の実施の形態の放電灯点灯装置を図７を参照して説明する。
【００４７】
図７はまたさらに他の実施の形態の放電灯点灯装置を示す回路図で、図１に示す実施の形態の蛍光ランプＦＬの電極フィラメントコイルＦＬａ，ＦＬｂのそれぞれの一端および他端間に負温度特性抵抗素子（Ｎｅｇａｔｉｖｅ  Ｔｅｍｐｅｒａｔｕｒｅ  Ｃｏｅｆｆｉｃｉｅｎｔ）ＮＴＣ１，ＮＴＣ２を接続したものである。
【００４８】
そして、基本的な動作は図１に示す放電灯点灯装置と同様であるが、蛍光ランプＦＬが始動する以前の負温度特性抵抗素子ＮＴＣ１，ＮＴＣ２の温度が低い状態では、負温度特性抵抗素子ＮＴＣ１，ＮＴＣ２の抵抗値が高いため、共振電流の一部は蛍光ランプＦＬの電極フィラメントコイルＦＬａ，ＦＬｂに流れ、電極フィラメントコイルＦＬａ，ＦＬｂを適切に予熱する。さらに、共振電流が大きくなるに従い、負温度特性抵抗素子ＮＴＣ１，ＮＴＣ２にも若干流れていた共振電流の一部によって負温度特性抵抗素子ＮＴＣ１，ＮＴＣ２がジュール熱により発熱して、負温度特性抵抗素子ＮＴＣ１，ＮＴＣ２の抵抗値が低下する。これにより、電極フィラメントコイルＦＬａ，ＦＬｂに流れていた電流が次第に負温度特性抵抗素子ＮＴＣ１，ＮＴＣ２に流れるようになる。
【００４９】
さらに、蛍光ランプＦＬが点灯した後に負温度特性抵抗素子ＮＴＣ１，ＮＴＣ２の温度が高くなって、抵抗値が限りなく低下すると、共振電流のほとんどは負温度特性抵抗素子ＮＴＣ１，ＮＴＣ２に流れ、電極フィラメントコイルＦＬａ，ＦＬｂにはほとんど流れなくなるため、電極フィラメントコイルＦＬａ，ＦＬｂによる電力損失を限りなく低下できる。
【００５０】
なお、本実施の形態のように、負温度特性抵抗素子ＮＴＣ１，ＮＴＣ２を設ける構成を図２、４〜６に示す実施の形態の回路に設けることによっても、同様の作用効果が得られる。
【００５１】
【発明の効果】
請求項１記載の放電灯点灯装置によれば、電源の投入時には正温度特性抵抗素子の抵抗値は低く、共振電圧も低い状態にあるので、共振電流の一部によりフィラメントが予熱され、正温度特性抵抗素子の温度が次第に上昇して抵抗値が高くなることにより共振合成成分が変化して共振電圧が上昇し、ランプを点灯させるので、ランプ点灯までの間、共振電流の一部によって適切にフィラメントを予熱するように調整することが可能であり、放電ランプの点滅にともなうストレスを低減することができる。
【００５２】
請求項２記載の放電灯点灯装置によれば、請求項１記載の放電灯点灯装置に加え、一部の共振コンデンサに流れる共振電流の一部がフィラメントに直接流れるので、共振電流の一部によりフィラメントを直接に予熱できる。
【００５３】
請求項３記載の放電灯点灯装置によれば、請求項１記載の放電灯点灯装置に加え、共振インダクタの共振電流の増加に伴ない共振電流の一部である予熱巻線の電流も増加し、フィラメントを間接的に予熱することができる。
【００５４】
請求項４記載の放電灯点灯装置によれば、請求項１ないし３いずれか一記載の放電灯点灯装置に加え、フィラメントに流れる電流を負温度特性抵抗素子に流して、フィラメントによる電力損失を抑制できる。
【００５５】
請求項５記載の放電灯点灯装置によれば、請求項１ないし４いずれか一記載の放電灯点灯装置に加え、フィラメントを介して共振コンデンサに接続しても、同様の効果を奏することができる。
【００５６】
請求項６記載の電球形蛍光ランプによれば、請求項１ないし５いずれか一記載の放電灯点灯装置を具備したので、それぞれの効果を奏することができる。
【図面の簡単な説明】
【図１】本発明の一実施の形態の放電灯点灯装置を示す回路図である。
【図２】同上電球形蛍光ランプのグローブを透過した状態の側面図である。
【図３】同上共振コンデンサＣ４の電圧と周波数の関係を示すグラフである。
【図４】同上他の実施の形態の放電灯点灯装置を示す回路図である。
【図５】同上また他の実施の形態の放電灯点灯装置を示す回路図である。
【図６】同上さらに他の実施の形態の放電灯点灯装置を示す回路図である。
【図７】同上またさらに他の実施の形態の放電灯点灯装置を示す回路図である。
【符号の説明】
１    電球形蛍光ランプ
２    カバー
３    口金
７    放電灯点灯装置
１２    交流電源としてのインバータ回路
Ｃ４    共振コンデンサ
ＦＬ    放電ランプとしての蛍光ランプ
ＦＬａ，ＦＬｂ    フィラメントとしての電極フィラメントコイル
Ｌ３    共振インダクタとしてのバラストチョーク
Ｌ５，Ｌ６    予熱巻線
ＮＴＣ１，ＮＴＣ２    負温度特性抵抗素子
ＰＴＣ１    正温度特性抵抗素子
【図１】
2004362782.tif 000003
【図２】
2004362782.tif 000004
【図３】
2004362782.tif 000005
【図４】
2004362782.tif 000006
【図５】
2004362782.tif 000007
【図６】
2004362782.tif 000008
【図７】
2004362782.tif 000009